(57)【特許請求の範囲】
【請求項１】
機器制御装置において、
自己の開閉状態に応じて照明装置の状態を点灯または消灯で切り替えるリレーと接続されるリレー接続部と、
前記照明装置周辺の明るさを検出する明るさセンサと接続されるセンサ接続部と、
前記センサ接続部に入力される前記明るさセンサからの出力に基づいて、予め設定された明るさ基準値を基準として前記照明装置周辺の明るさを明状態または暗状態として判定する明るさ判定部と、
前記リレー接続部を介して、当該リレーの状態を制御する制御信号を前記リレーに出力するリレー制御部と、
スイッチ操作により管理者によって調整可能なパラメータである設定時間を設定する時間設定部と、
前記明るさ判定部における判定結果が明状態と暗状態との間で変化する明るさ変化のタイミングを基準として、前記時間設定部において設定される設定時間だけオフセットさせたタイミングにおいて、前記リレー制御部に対して前記制御信号の出力を指示する制御処理部と
を有することを特徴とする機器制御装置。
【請求項２】
前記制御処理部は、前記明るさ変化のタイミングを基準に、前記時間設定部において設定される設定時間だけ遅延させたタイミングにおいて、前記リレー制御部に対して前記制御信号の出力を指示することを特徴とする請求項１に記載された機器制御装置。
【請求項３】
前記明るさ変化毎に、当該明るさ変化のタイミングに対応する時刻を時刻データとして記憶する記憶部と、
前記記憶部に記憶された時刻データに基づいて、前記明るさ変化のタイミングの平均的な時刻を平均時刻として算出する平均算出部とをさらに有し、
前記制御処理部は、次回に起きる明るさ変化のタイミングが前記平均算出部において算出される平均時刻であると予測して、当該平均時刻を基準に、前記設定部において設定される設定時間だけ先行させたタイミングにおいて、前記リレー制御部に対して前記制御信号の出力を指示することを特徴とする請求項１に記載された機器制御装置。
【請求項４】
前記平均算出部は、地域特性と月日特性とに対応した明るさ変化の基準を示す参照時刻に基づいて、前記平均時刻を補正することを特徴とする請求項３に記載された機器制御装置。
【請求項５】
前記明るさ変化は、明状態から暗状態への第１の明るさ変化を含み、
前記制御処理部は、前記第１の明るさ変化に対応して、前記照明装置を点灯状態に制御するように、前記リレー制御部に対して前記制御信号の出力を指示することを特徴とする請求項１から４のいずれか一項に記載された機器制御装置。
【請求項６】
前記明るさ変化は、暗状態から明状態への第２の明るさ変化を含み、
前記制御処理部は、前記第２の明るさ変化に対応して、前記照明装置を消灯状態に制御するように、前記リレー制御部に対して前記制御信号の出力を指示することを特徴とする請求項１から４のいずれか一項に記載された機器制御装置。
【発明の詳細な説明】
【技術分野】
【０００１】
本発明は、照明装置等の負荷装置の状態を制御する機器制御装置に関する。
【背景技術】
【０００２】
従来より、遠隔からの操作入力によって、設備機器を制御するシステムが知られている。例えば、特許文献１には、昼光スイッチからの操作入力によって、設備機器を制御するシステムが知られている。この昼光スイッチは、受光部において周囲照度を検出するとともに、データ生成部において受光部の出力を閾値との大小に応じた操作データを出力する。具体的には、データ生成部では、周囲照度が暗レベル閾値より小さくなると、照明負荷をオンにする操作データを生成し、周囲照度が暗レベル閾値よりも明るい明レベル閾値を越えると照明負荷をオフにする操作データを生成する。遅延回路部は操作データを遅延させ、出力回路部を通して信号処理部に入力する。信号処理部は時分割多重伝送方式により、伝送制御装置に操作データを伝送する。昼光スイッチと離間された伝送制御装置では、操作データを受けると照明負荷を有する制御用端末器に制御データを送って照明負荷を制御する。このように昼光スイッチは、それ自身が周囲照度を検出する明るさセンサとしての機能を担っており、明るさを検出するべく検知エリアに配置されている。
【特許文献１】特開平０８−１５４２８０号公報
【発明の開示】
【発明が解決しようとする課題】
【０００３】
しかしながら、特許文献１に開示された手法によれば、昼光スイッチである明るさセンサの設置場所等に起因して、所望とする時刻とは異なるタイミングで照明装置の状態制御が行われてしまう可能性がある。例えば、昼光スイッチが影になりやすい環境に設置されている場合には、周囲の明るさに比して早いタイミングで照明装置が点灯されたり、昼光スイッチが他の照明装置の明るさの影響を受けやすい環境に設置されている場合には、周囲の明るさに比して遅いタイミングで照明装置が点灯されたりするといった如くである。
【０００４】
この昼光スイッチには、操作データを遅延させる機能がついており、明るさに対する感度を調整可能であるものの、昼光スイッチ等は、照明装置周辺の明るさを検出すべく高所等に配置されていることが多く、その調整を容易に行うことができないという問題がある。
【０００５】
本発明は、このような事情に鑑みてなされたものであり、その目的は、周囲の明るさ環境に応じて照明装置の制御をする際に、それを柔軟なタイミングで行うとともに、その制御タイミングの調整を容易に行うことである。
【課題を解決するための手段】
【０００６】
かかる課題を解決するために、本発明は、機器制御装置を提供する。この機器制御装置は、自己の開閉状態に応じて照明装置の状態を点灯または消灯で切り替えるリレーと接続されるリレー接続部と、照明装置周辺の明るさを検出する明るさセンサと接続されるセンサ接続部と、センサ接続部に入力される明るさセンサからの出力に基づいて、予め設定された明るさ基準値を基準として照明装置周辺の明るさを明状態または暗状態として判定する明るさ判定部と、リレー接続部を介して、このリレーの状態を制御する制御信号をリレーに出力するリレー制御部と、スイッチ操作により管理者によって調整可能なパラメータである設定時間を設定する時間設定部と、明るさ判定部における判定結果が明状態と暗状態との間で変化する明るさ変化のタイミングを基準として、時間設定部において設定される設定時間だけオフセットさせたタイミングにおいて、リレー制御部に対して制御信号の出力を指示する制御処理部とを有する。
【０００７】
ここで、本発明において、制御処理部は、明るさ変化のタイミングを基準に、時間設定部において設定される設定時間だけ遅延させたタイミングにおいて、リレー制御部に対して制御信号の出力を指示することが好ましい。
【０００８】
また、本発明において、機器制御装置は、明るさ変化のタイミングの対応する時刻を時刻データとして記憶する記憶部と、記憶部に記憶された時刻データに基づいて、明るさ変化のタイミングの平均的な時刻を平均時刻として算出する平均算出部とをさらに有することが好ましい。この場合、制御処理部は、次回に起きる明るさ変化のタイミングが平均算出部において算出される平均時刻であると予測して、この平均時刻を基準に、設定部において設定される設定時間だけ先行させたタイミングにおいて、リレー制御部に対して制御信号の出力を指示する。
【０００９】
また、本発明において、平均算出部は、地域特性と月日特性とに対応した明るさ変化の基準を示す参照時刻に基づいて、平均時刻を補正することが望ましい。
【００１０】
また、本発明において、明るさ変化は、明状態から暗状態への第１の明るさ変化を含み、記制御処理部は、第１の明るさ変化に対応して、照明装置を点灯状態に制御するように、リレー制御部に対して制御信号の出力を指示することが好ましい。
【００１１】
さらに、本発明において、明るさ変化は、暗状態から明状態への第２の明るさ変化を含み、制御処理部は、第２の明るさ変化に対応して、照明装置を消灯状態に制御するように、リレー制御部に対して制御信号の出力を指示することが望ましい。
【発明の効果】
【００１２】
本発明によれば、明るさセンサの出力に基づいて判定される明るさ変化のタイミングよりも、設定時間だけタイミングをオフセットさせて照明装置の状態制御が行われる。明るさ変化のタイミングに応じて照明装置の状態制御を行った場合には、明るさセンサの設置位置等に起因して、希望する時間よりも前後して照明装置の状態が制御されるといった不都合が生じる場合があるが、設定時間の調整に応じて、照明装置の点灯または消灯タイミングの最適化を図ることができる。
【００１３】
また、本発明によれば、機器制御装置と、明るさセンサとは独立した構成となっている。機器制御装置は、通常のメンテナンス等を考慮して、管理者が保守可能な位置に配置されているため、明るさセンサが高所などの保守性の悪い場所に配置されていたとしても、設定時間を容易に調整することができる。これにより、周囲の明るさ環境に応じて照明装置の制御をする際に、それを柔軟なタイミングで行うとともに、その制御タイミングの調整を容易に行うことができる。
【００１４】
また、本発明によれば、明るさ変化のタイミングよりも、設定時間だけタイミングを遅延させて照明装置の状態制御が行われる。これにより、希望する時刻よりも早いタイミングで照明装置が点灯／消灯してしまうといった不都合を抑制することができる。
【００１５】
また、本発明によれば、明るさ変化のタイミングとなる平均時刻を予測し、この平均時刻よりも、設定時間だけタイミングを先行させて照明装置の状態制御が行われる。これにより、希望する時間よりも遅いタイミングで照明装置が点灯／消灯してしまうといった不都合を抑制することができる。
【００１６】
また、本発明によれば、平均時間の算出精度の悪化を抑制することができるので、照明装置の状態制御のタイミングの最適化を図ることができる。
【発明を実施するための最良の形態】
【００１７】
（第１の実施形態）
図１は、本発明の第１の実施形態にかかるリモコンシステムを示す構成図である。このリモコンシステムは、遠隔からの操作入力によって、負荷機器の状態を制御するシステムであり、本実施形態では、負荷機器として、照明装置（図示せず）を例示する。すなわち、リモコンシステムは、遠隔からの操作入力によって、照明装置の状態（点灯または消灯）を制御する。
【００１８】
リモコンシステムは、定刻時間制御ユニット（機器制御装置）１と、明るさセンサ２と、リモコントランス３と、リモコンリレー５と、リモコンスイッチ６とで構成されている。明るさセンサ２と、リモコントランス３と、リモコンリレー５と、リモコンスイッチ６とは、定刻時間制御ユニット１にそれぞれ接続されている。また、定刻時間制御ユニット１は、商用電源と接続されており、商用電源で動作する。本実施形態の特徴の一つは、この定刻時間制御ユニット１の構成およびその動作にあり、その詳細な説明は後述する。
【００１９】
明るさセンサ２は、照明装置の周囲に配置されており、検知領域となる照明装置周辺の明るさを検出する。明るさセンサ２の出力は、定刻時間制御ユニット１に入力される。
【００２０】
リモコントランス３は、定刻時間制御ユニット１から遠隔した場所に設置されており、定刻時間制御ユニット１に交流２４Ｖの電力供給を行う。リモコントランス３は、接続されている商用電源を交流２４Ｖに変換し、定刻時間制御ユニット１を介してリモコンリレー５およびリモコンスイッチ６に電力供給をする。
【００２１】
リモコンリレー５は、定刻時間制御ユニット１から遠隔した場所に設置され、定刻時間制御ユニット１からの制御信号に応じて、リレーの状態を開状態（オフ状態）と閉状態（オン状態）との間で制御する。リモコンリレー５は、励磁コイルおよび電気接点からなり、励磁コイルに電圧が印加される方向によって電気接点の開閉状態が制御される。リモコンリレー５は、後述するリモコンスイッチ６の操作や明るさセンサ２からの出力に基づいて、定刻時間制御ユニット１からの制御信号が供給されて動作し、自己のオン状態に応じて照明装置（負荷）への電源をオンする（照明装置の点灯状態）、または、自己のオフ状態に応じて照明装置（負荷）への電源をオフする（照明装置の消灯状態）。
【００２２】
リモコンスイッチ６は、交流２４Ｖで動作する負荷制御用スイッチであって、例えば照明装置が設けられた室内壁面に設けられている。リモコンスイッチ６は、図示しない操作部を操作（例えば、押下操作）することにより、照明装置の状態を（点灯および消灯）を切り替えることができる。
【００２３】
図２は、定刻時間制御ユニット１を模式的に示す外観図である。定刻時間制御ユニット１は、筐体である本体１ａを備え、その本体１ａの正面に、液晶表示画面１ｂ、モード切替スイッチ１ｃ、時切替スイッチ１ｄ、分切替スイッチ１ｅ、運転切替スイッチ１ｆおよび時間設定ボリューム１ｇが設けられている。また、定刻時間制御ユニット１には、本体１ａの左右の両サイドに、電源端子１ｈ、明るさセンサ端子（センサ接続部）１ｉ、出力端子（リレー接続部）１ｊ、スイッチ接続端子１ｋが備えられている。
【００２４】
液晶表示画面１ｂは、ユーザが定刻時間制御ユニット１の設定を行うに際して各種情報を表示するための画面である。
【００２５】
モード切替スイッチ１ｃは、定刻時間制御ユニット１のモードを、通常動作を行う通常モードと、各種設定を行う設定モードとで切り替えるための操作スイッチである。このモード切替スイッチ１ｃを操作して、通常モードから設定モードに切り替えることにより、現在時刻を設定する現在時刻設定、照明装置の点灯時刻を設定する点灯時刻設定、照明装置の消灯時刻を設定する消灯時刻設定が可能となる。このモード切替スイッチ１ｃは、管理者によって操作可能となっており、通常モードと設定モードとの切り替えのみならず、設定モードにおける現在時刻設定、点灯時刻設定または消灯時刻設定の切り替えを行うことができる。
【００２６】
時切替スイッチ１ｄは、モード切替スイッチ１ｃが設定モードにおける現在時刻設定、点灯時刻設定および消灯時刻設定のいずれかに切り替えられた際に、その設定における時刻の「時」を切り替えるための操作スイッチである。時切替スイッチ１ｄは、管理者によって操作可能となっており、「０」から「２４」の範囲において「時」を切り替えることができる。
【００２７】
分切替スイッチ１ｅは、モード切替スイッチ１ｃが設定モードにおける現在時刻設定、点灯時刻設定および消灯時刻設定のいずれかに切り替えられた際に、その設定における時刻の「分」を切り替えるための操作スイッチである。分切替スイッチ１ｅは、管理者によって操作可能となっており、「０」から「６０」の範囲において「分」を切り替えることができる。
【００２８】
運転切替スイッチ１ｆは、通常動作時（モード切替スイッチ１ｃによる通常モード選択時）における定刻時間制御ユニット１のモードを、運転モードと停止モードとで切り替えるための操作スイッチである。運転切替スイッチ１ｆによって運転モードが設定されている場合、定刻時間制御ユニット１は、明るさセンサ２からの出力に対応する照明装置の制御（明るさセンサ制御）、および、所定時刻に対応する照明装置の制御（時間制御）が有効となる。一方、運転切替スイッチ１ｆによって停止モードが設定されている場合、定刻時間制御ユニット１は、明るさセンサ制御および時間制御が無効となる。運転切替スイッチ１ｆは、管理者によって操作可能となっており、運転モードと停止モードとの間で運転モードを切り替えることができる。
【００２９】
時間設定ボリューム（時間設定部）１ｇは、明るさセンサ制御において、後述する明るさ変化のタイミングを基準として、照明装置の状態を時間的にオフセットさせて制御するためのオフセット時間（以下「設定時間」という）を設定する操作スイッチである。時間設定ボリューム１ｇは、管理者によって操作可能となっており、「−ａ（ａ：任意の時間）」から「０」、および、「０」から「＋ｂ（ｂ：任意の時間）」の範囲で設定時間を切り替えることができる。この設定時間は、管理者によって調整可能なパラメータとなっている。
【００３０】
電源端子１ｈは、商用電源が接続され、明るさセンサ端子１ｉは、明るさセンサ２が接続される。一方、出力端子１ｊは、リモコントランス３およびリモコンリレー５が接続され、スイッチ接続端子１ｋは、リモコンスイッチ６が接続される。
【００３１】
図３は、定刻時間制御ユニット１の構成を示すブロック図である。定刻時間制御ユニット１は、マイクロコンピュータ（制御処理部）１０を主体に構成されており、このマイクロコンピュータ１０には、種々の回路が接続されている。
【００３２】
モード切替スイッチ入力回路１１は、モード切替スイッチ１ｃと接続されて、モード切替スイッチ１ｃの操作を検出する。モード切替スイッチ入力回路１１によって検出されたモード切替スイッチ１ｃの切替操作は、マイクロコンピュータ１０によって検知され、これにより、マイクロコンピュータ１０によって現在のモードが通常モードであるのか、それとも設定モード（より詳細には、現在時刻設定、点灯時刻設定または消灯時刻設定）であるのかが認識される。
【００３３】
運転切替スイッチ入力回路１２は、運転切替スイッチ１ｆと接続されて、運転切替スイッチ１ｆの操作を検出する。運転切替スイッチ入力回路１２によって検出された運転切替スイッチ１ｆの切替操作は、マイクロコンピュータ１０によって検知され、これにより、マイクロコンピュータ１０によって定刻時間制御ユニット１のモードが運転モードであるのか、それとも停止モードであるのかが認識される。
【００３４】
時切替スイッチ入力回路１３は、時切替スイッチ１ｄと接続されて、時切替スイッチ１ｄの操作を検出する。時切替スイッチ入力回路１３によって検出された時切替スイッチ１ｄの切替操作は、マイクロコンピュータ１０で検知され、これにより、マイクロコンピュータ１０によって、現在時刻、点灯時刻または消灯時刻における「時」の設定が変更される。
【００３５】
分切替スイッチ入力回路１４は、分切替スイッチ１ｅと接続され、分切替スイッチ１ｅの操作を検出する。分切替スイッチ入力回路１４によって検出された分切替スイッチ１ｅの切替操作は、マイクロコンピュータ１０で検知され、これにより、マイクロコンピュータ１０によって、現在時刻、点灯時刻、消灯時刻における「分」の設定が変更される。
【００３６】
時間設定ボリューム入力回路１５は、時間設定ボリューム１ｇと接続され、時間設定ボリューム１ｇの操作を検出する。時間設定ボリューム入力回路１５によって検出された分時間設定ボリューム１ｇの切替操作は、マイクロコンピュータ１０で検知され、これにより、マイクロコンピュータ１０によって設定時間の設定が変更される。
【００３７】
ＥＥＰＲＯＭ１６は、マイクロコンピュータ１０が動作する各種の設定データが格納される。ＥＥＰＲＯＭ１６に記憶されている設定データとしては、制御対象となる複数の照明装置のＩＤ、現在のモードを示すフラグなどが挙げられる。また、これ以外にも、点灯時刻設定における点灯時刻、消灯時刻設定における消灯時刻が設定されている場合には、それらの時刻が設定データとして格納され、また、設定時間が設定されている場合には、その時間が設定データとして格納されている。
【００３８】
リセット回路１７は、ＥＥＰＲＯＭ１６に記憶された設定データを初期値に戻す設定動作をするために設けられる。このリセット回路１７は、図示しないリセット用の操作部と接続され、当該リセット用の操作部の操作に応じて、マイクロコンピュータ１０によってＥＥＰＲＯＭ１６に記憶されている設定データの内容を初期値にリセットする。
【００３９】
発振回路１８は、通常モードにおける運転モードにおいて、経過時間を計時する。発振回路１８は、マイクロコンピュータ１０の制御に従って、計時を開始し、当該計時している値がマイクロコンピュータ１０によって読み取られる。
【００４０】
時計用発振回路１９は、定刻時間制御ユニット１における時計機能用の発振回路である。この時計用発振回路１９は、定刻時間制御ユニット１によって、所定の時刻（点灯時刻）に照明装置を点灯または消灯させる動作を行うために、マイクロコンピュータ１０で読み込まれる。例えば、ＥＥＰＲＯＭ１６の設定データに、「０９：００」が点灯時刻、「１８：００」が消灯制御として設定されている場合に、マイクロコンピュータ１０によって当該点灯時刻、消灯時刻と時計用発振回路１９の計時時刻とが比較される。
【００４１】
液晶表示部２０は、液晶表示画面１ｂに各種情報を表示させる。ＥＥＰＲＯＭ１６に記憶する設定データの変更時や時計時刻の変更時などには、当該設定変更内容が液晶表示部２０に表示される。
【００４２】
ブリッジ回路２１は、出力端子１ｊを介して交流１００Ｖの商用電源が接続されて、全波整流して電源回路２２に供給する。
【００４３】
電源回路２２は、ブリッジ回路２１を介して供給された電力から低電圧のマイクロコンピュータ１０用電源、および、定刻時間制御ユニット１を構成する他の回路への電源を生成する。
【００４４】
電源電圧検出回路２３は、出力端子１ｊおよびブリッジ回路２１を介して商用電源から電源回路２２に供給されている電源電圧値を検出して、マイクロコンピュータ１０に供給する。電源電圧検出回路２３は、停電等によって電源回路２２からの信号が供給されなくなった場合、マイクロコンピュータ１０に検知される。これに応じ、マイクロコンピュータ１０は、消費電力を低減するウエイトモードとなり、時計用発振回路１９で計時している現在時刻をＥＥＰＲＯＭ１６にバックアップする。
【００４５】
バックアップ電源回路２４は、例えば内部コンデンサ等からなる。停電時に電源回路２２からマイクロコンピュータ１０および他の回路に電源供給ができなくなった場合に、マイクロコンピュータ１０によって現在時刻等をバックアップするための電力を供給する。停電時にバックアップ電源回路２４からマイクロコンピュータ１０に供給する電力は、通常時よりも消費電力を低くするために低電源電圧とする。
【００４６】
明るさセンサ検出回路２５は、明るさセンサ端子１ｉを介して入力される明るさセンサ２からの出力を検出する。明るさセンサ２の周囲が明るい場合には、明るさセンサ検出回路２５は、明るさセンサ２からの商用電源が検出でき、明るさセンサ２の周囲が明るくない場合（暗い場合）には、明るさセンサ検出回路２５は、明るさセンサ２からの商用電源が検出できない。これにより、マイクロコンピュータ１０は、明るさセンサ２から明るさセンサ検出回路２５への信号の有無によって照明装置の周辺が明るいのか、それとも暗いのかを判定する。換言すれば、明るさセンサ検出回路２５は、明るさセンサ端子１ｉに入力される明るさセンサ２からの出力に基づいて、予め設定された明るさ基準値を境に、照明装置周辺の明るさを明状態または暗状態として判定する（明るさ判定部）。
【００４７】
ワンパルス出力回路２６は、内蔵リレーを備え、マイクロコンピュータ１０からの指示信号（オン制御またはオフ制御）の出力に応じて、内蔵リレーを動作させるための電流パルスを発生させる。内蔵リレーは、オン制御用の電流パルスに対応して、オフ状態からオン状態へと切り替えられる。この内蔵リレーの変化に対応する制御信号に応じて、リモコンリレー５はオフ状態からオン状態へと切り替わる。一方、内蔵リレーは、オフ制御用の電流パルスに対応して、オン状態からオフ状態へと切り替えられる。このリレー変化に対応する制御信号に応じて、リモコンリレー５はオン状態からオフ状態へと切り替わる。これにより、マイクロコンピュータ１０は、照明装置の点灯状態または消灯状態の制御を行うことができる。換言すれば、ワンパルス出力回路２６は、出力端子１ｊを介して、リレーの状態を制御する制御信号をリモコンリレー５に出力するリレー制御部としての機能を担っている。
【００４８】
マイクロコンピュータ１０は、明るさセンサ検出回路２５における判定結果が明状態と暗状態との間で変化する明るさ変化のタイミングに対応して、照明装置の状態を制御するように、ワンパルス出力回路２６に対して指示信号を出力する。具体的には、明るさ変化は、明状態から暗状態への第１の明るさ変化を含み、マイクロコンピュータ１０は、第１の明るさ変化に対応して、照明装置を点灯状態に制御するように、ワンパルス出力回路２６に対して指示信号（オン信号）の出力を指示する。また、明るさ変化は、暗状態から明状態への第２の明るさ変化を含み、マイクロコンピュータ１０は、第２の明るさ変化に対応して、照明装置を消灯状態に制御するように、ワンパルス出力回路２６に対して制御信号（オフ制御）の出力を指示する。
【００４９】
ここで、本実施形態の特徴の一つとして、マイクロコンピュータ１０は、第１の明るさ変化のタイミングを基準として、時間設定ボリューム入力回路１５を通じて認識される設定時間だけオフセットさせたタイミングにおいて、ワンパルス出力回路２６に対して制御信号の出力を指示する（明るさオフセット制御）。この場合、設定時間としてプラス側の時間が設定されている場合、マイクロコンピュータ１０は、明るさ変化のタイミングを基準として、設定される設定時間だけ遅延させたタイミングにおいて、照明装置の状態を制御する。一方、時間設定ボリューム１ｇによって、設定時間として「０」が設定されている場合、マイクロコンピュータ１０は、明るさ変化の判定タイミングにおいて、照明装置の状態を制御する。これに対して、時間設定ボリューム１ｇによって、設定時間としてマイナス側の時間が設定されている場合、マイクロコンピュータ１０は、明るさ変化の判定タイミングを基準として、設定される設定時間だけ先行させたタイミングにおいて、照明装置の状態を制御する。
【００５０】
また、定刻時間制御ユニット１は、リモコンスイッチ６が操作されると、当該リモコンスイッチ６の制御信号を内部で接続されているリモコンリレー５への出力端子である出力端子１ｊに出力する。この構成により、定刻時間制御ユニット１は、時間又は明るさによって照明装置を点灯又は消灯させる制御と、リモコンスイッチ６の操作によって照明装置を点灯又は消灯させる動作とを実現している。
【００５１】
図４は、本発明の第１の実施形態にかかる照明装置の状態制御を示すフローチャートである。このフローチャートに示す処理は、定刻時間制御ユニット１のマイクロコンピュータ１０によって実行される。なお、本実施形態では、モード切替スイッチ１ｃが通常モードに設定されていること、および、時間設定ボリューム１ｇによって設定時間が「０」から「＋ｂ」の範囲内（０を含むプラス側の時間の範囲内）に設定されていることを前提に実行される。
【００５２】
まず、ステップ１０（Ｓ１０）において、運転切替スイッチ１ｆの状態が運転モードであるのか否かが判断される。このステップ１０において肯定判定された場合、すなわち、運転モードである場合には、ステップ１１（Ｓ１１）に進む。一方、ステップ１０において否定判定された場合、すなわち、運転モードではない場合（停止モードである場合）には、後述する処理をスキップして本ルーチンを抜ける。
【００５３】
ステップ１１において、時間制御があるか否かが判断される。具体的には、点灯時刻または消灯時刻が設定されており、かつ、その時刻と時計用発振回路１９の計時時刻とが対応する場合には、ステップ１１において肯定判定され、後述するステップ１７（Ｓ１７）の処理に進む。一方、点灯時刻または消灯時刻が設定されていない、あるいは、点灯時刻または消灯時刻が設定されているものの、その時刻と時計用発振回路１９の計時時刻とが対応しない場合には、ステップ１１において否定判定され、ステップ１２（Ｓ１２）の処理に進む。
【００５４】
ステップ１２において、明るさ変化があったか否かが判断される。具体的には、照明装置周辺の明るさが明状態から暗状態へと明るさ変化した場合（第１の明るさ変化）、あるいは、照明装置周辺の明るさが暗状態から明状態へと明るさ変化した（第２の明るさ変化）場合には、ステップ１２において肯定判定され、ステップ１３（Ｓ１３）に進む。一方、明るさ変化がない場合には、ステップ１２において否定判定され、本ルーチンを抜ける。
【００５５】
ステップ１３（Ｓ１３）において、照明装置のオン制御であるのか否か、すなわち、明るさ変化が第１の明るさ変化であるのか否かが判断される。このステップ１３において肯定判定された場合、すなわち、明るさ変化が第１の明るさ変化である場合には、ステップ１４（Ｓ１４）に進む。一方、ステップ１３において否定判定された場合、すなわち、明るさ変化が第１の明るさ変化ではない場合には、ステップ１６（Ｓ１６）に進む。
【００５６】
ステップ１４において、時間設定ボリューム１ｇによって設定される設定時間だけ待機する待機処理が行われる。この待機処理では、発振回路１８による経過時間が参照される。
【００５７】
ステップ１５（Ｓ１５）において、ワンパルス出力回路２６に対してオン制御である指示信号が出力される（オン出力）。これに対して、ステップ１６（Ｓ１６）において、ワンパルス出力回路２６に対してオフ制御である指示信号が出力される（オフ出力）。
【００５８】
ステップ１７において、照明装置のオン制御であるのか否かが判断される。具体的には、時計用発振回路１９の計時時刻と対応する時刻が点灯時刻である場合には、ステップ１７において肯定判定され、ステップ１８（Ｓ１８）に進む。一方、時計用発振回路１９の計時時刻と対応する時刻が点灯時刻ではない、すなわち、消灯時刻である場合には、ステップ１８において否定判定され、ステップ１９（Ｓ１９）に進む。
【００５９】
ステップ１８において、ワンパルス出力回路２６に対してオン制御である制御信号が出力される（オン出力）。これに対して、ステップ１９（Ｓ１９）において、ワンパルス出力回路２６に対してオフ制御である制御信号が出力される（オフ出力）。
【００６０】
図５は、第１の実施形態に示す処理の流れを時系列的に示す説明図である。同図に示すように、明るさセンサ２からの出力を取得する明るさセンサ検出回路２５を介して、明状態から暗状態への明るさ変化（第１の明るさ変化）が検知されると、マイクロコンピュータ１０は、この明るさ変化のタイミングから設定時間Ｂだけ遅延したタイミングにおいて、オン制御の指示信号をワンパルス出力回路２６に出力する。これにともない、ワンパルス出力回路２６において、オン制御用の電流パルスが発生され、これに対応して（具体的には、電圧の立ち下がりに対応して）、内蔵リレーがオフ状態からオン状態へと切り替えられる。この内蔵リレーのリレー変化に対応して、リモコンリレー５がオン状態へと切り替えられると、照明装置が点灯状態に制御される。
【００６１】
また、明るさセンサ２からのセンサ信号を取得する明るさセンサ検出回路２５を介して、暗状態から明状態への明るさ変化（第２の明るさ変化）が検知されると、マイクロコンピュータ１０は、この明るさ変化のタイミングにおいて、オフ制御に対応した指示信号をワンパルス出力回路２６に出力する。これにともない、ワンパルス出力回路２６において、オフ制御用の電流パルスが発生され、これに対応して（具体的には、電圧の立ち下がりに対応して）、内蔵リレーがオン状態からオフ状態へと切り替えられる。この内蔵リレーのリレー変化に対応して、リモコンリレー５がオフ状態へと切り替えられると、照明装置が消灯状態に制御される。
【００６２】
このように本実施形態によれば、明るさオフセット制御により、明るさセンサ２の出力に基づいて判定される第１の明るさ変化のタイミングよりも、設定時間だけタイミングを遅延させて照明装置の状態制御が行われる。明るさ変化のタイミングに応じて照明装置の状態制御を行った場合には、明るさセンサ２の設置位置等に起因して、希望する時間よりも早く照明装置が点灯してしまうといった不都合が生じる場合があるが、本実施形態によれば、設定時間の調整に応じて、照明装置の点灯時間の最適化を図ることができる。これにより、ユーザにとって使いやすいリモコンシステムを提供することができる。
【００６３】
また、定刻時間制御ユニット１と、明るさセンサ２とは独立した構成となっている。定刻時間制御ユニット１は、通常のメンテナンス等を考慮して、管理者が保守可能な位置に配置されているため、明るさセンサ２が高所などの保守性の悪い場所に配置されていたとしても、設定時間を容易に調整することができる。これにより、周囲の明るさ環境に応じて照明装置の制御をする際に、それを柔軟なタイミングで行うことができるとともに、その制御タイミングの調整を容易に行うことができる。
【００６４】
（第２の実施形態）
第２の実施形態におけるリモコンシステムが、第１の実施形態のそれと相違する点は、第１の明るさ変化のタイミングを基準として、設定時間だけ先行して照明装置の状態を点灯させることにある。なお、定刻時間制御ユニット１のシステム構成は、第１の実施形態と同様であり、以下、相違点を中心に説明を行う。
【００６５】
図６は、本発明の第２の実施形態にかかる照明装置の状態制御を示すフローチャートである。このフローチャートに示す処理は、所定周期で呼び出され、定刻時間制御ユニット１のマイクロコンピュータ１０によって実行される。なお、同図に示す処理は、モード切替スイッチ１ｃが通常モードに設定されているとともに、時間設定ボリューム１ｇによって設定時間が「−ａ」から「０」よりも小さい値の範囲内に設定されていることを前提に実行される。
【００６６】
まず、ステップ２０（Ｓ２０）において、第１の実施形態に示すステップ１０の処理と同様に、運転切替スイッチ１ｆの状態が運転モードであるのか否かが判断される。このステップ２０において肯定判定された場合には、ステップ２１（Ｓ２１）に進む。一方、ステップ２０において否定判定された場合には、後述する処理をスキップして本ルーチンを抜ける。
【００６７】
ステップ２１において、第１の実施形態に示すステップ１１の処理と同様に、時間制御があるか否かが判断される。このステップ２１において肯定判定された場合には、後述するステップ２９（Ｓ２９）に進む。一方、ステップ２１において否定判定された場合には、ステップ２２（Ｓ２２）に進む。
【００６８】
ステップ２２において、時計用発振回路１９の計時時刻と、基準時刻Ａから設定時間Ｂだけ先行する時刻（基準時刻Ａ−設定時間Ｂ（絶対値））とが対応するか否かが判断される。ここで、基準時刻Ａは、後述するステップ２６（Ｓ２６）において算出される平均時刻であり、設定データとしてＥＥＰＲＯＭ１６に格納されている。マイクロコンピュータ１０は、ＥＥＰＲＯＭ１６を参照することにより、平均時刻Ａを取得することができる。このステップ２２において肯定判定された場合には、ステップ２３（Ｓ２３）に進む。一方、ステップ２２において否定判定された場合には、ステップ２８（Ｓ２８）に進む。
【００６９】
ステップ２３において、第１の実施形態に示すステップ１１の処理と同様に、明るさ変化があったか否かが判断される。第１の明るさ変化または第２の明るさ変化があった場合には、ステップ２３において肯定判定され、ステップ２４（Ｓ２４）に進む。一方、明るさ変化がない場合には、ステップ２３において否定判定され、本ルーチンを抜ける。
【００７０】
ステップ２４（Ｓ２４）において、照明装置のオン制御であるのか否か、すなわち、明るさ変化が第１の明るさ変化であるのか否かが判断される。このステップ２４において肯定判定された場合、すなわち、明るさ変化が第１の明るさ変化である場合には、ステップ２５（Ｓ２５）に進む。一方、ステップ２４において否定判定された場合、すなわち、明るさ変化が第１の明るさ変化ではない場合には（明るさ変化が第２の明るさ変化の場合には）、ステップ２７（Ｓ２７）に進む。
【００７１】
ステップ２５において、第１の明るさ変化に相当する時刻が、時刻データとして、ＥＥＰＲＯＭ１６に格納される。
【００７２】
ステップ２６（Ｓ２６）において、ＥＥＰＲＯＭ１６に格納されている時刻データ、過去の第１の明るさ変化に相当する時刻の履歴を参照し、その平均時刻が算出される。算出された平均時間は、新たな基準時間Ａとして、ＥＥＰＲＯＭ１６におけるデータが更新される。
【００７３】
ステップ２７（Ｓ２７）において、ワンパルス出力回路２６に対してオフ制御である指示信号が出力される（オフ出力）。
【００７４】
ステップ２８において、ワンパルス出力回路２６に対してオン制御である指示信号が出力される（オン出力）。
【００７５】
一方、ステップ２９において、照明装置のオン制御であるのか否かが判断される。具体的には、時計用発振回路１９の計時時刻と対応する時刻が点灯時刻である場合には、ステップ２９において肯定判定され、ステップ３０（Ｓ３０）に進む。一方、時計用発振回路１９の計時時刻と対応する時刻が点灯時刻ではない、すなわち、消灯時刻である場合には、ステップ２９において否定判定され、ステップ３１（Ｓ３１）に進む。
【００７６】
ステップ３０において、ワンパルス出力回路２６に対してオン制御である指示信号が出力される（オン出力）。これに対して、ステップ３１（Ｓ３１）において、ワンパルス出力回路２６に対してオフ制御である指示信号が出力される（オフ出力）。
【００７７】
図７は、第２の実施形態に示す処理の流れを時系列的に示す説明図である。同図に示すように、明るさセンサ２からのセンサ信号を取得する明るさセンサ検出回路２５を介して、明状態から暗状態への明るさ変化（第１の明るさ変化）が検知されなくとも、マイクロコンピュータ１０は、基準時刻Ａよりも設定時間Ｂだけ先行したタイミングにおいて、オン制御の指示信号をワンパルス出力回路２６に出力する。これにともない、ワンパルス出力回路２６において、オン制御用の電流パルスが発生され、これに対応して（具体的には、電圧の立ち下がりに対応して）、内蔵リレーがオフ状態からオン状態へと切り替えられる。この内蔵リレーのリレー変化に対応して、リモコンリレー５がオン状態へと切り替えられると、照明装置が点灯状態に制御される。
【００７８】
また、明るさセンサ２からのセンサ信号を取得する明るさセンサ検出回路２５を介して、暗状態から明状態への明るさ変化（第１の明るさ変化）が検知されると、マイクロコンピュータ１０は、この明るさ変化のタイミングにおいて、オフ制御に対応した信号信号をワンパルス出力回路２６に出力する。これにともない、ワンパルス出力回路２６において、オフ制御用の電流パルスが発生され、これに対応して（具体的には、電圧の立ち下がりに対応して）、内蔵リレーがオン状態からオフ状態へと切り替えられる。この内蔵リレーのリレー変化に対応して、リモコンリレー５がオフ状態へと切り替えられると、照明装置が消灯状態に制御される。
【００７９】
このように本実施形態によれば、明るさオフセット制御により、明るさセンサ２の出力に基づいて判定される第１の明るさ変化のタイミング、具体的には、基準時刻（過去のデータより統計的に算出される第１の明るさ変化の平均時刻）よりも、設定時間だけタイミングを先行させて照明装置の状態制御が行われる。明るさ変化のタイミングに応じて照明装置の状態制御を行った場合には、明るさセンサ２の設置位置等に起因して、希望する時間よりも遅く照明装置が点灯するといった不都合が生じる場合があるが、本実施形態によれば、設定時間の調整に応じて、照明装置の点灯時間の最適化を図ることができる。これにより、ユーザにとって使いやすいリモコンシステムを提供することができる。
【００８０】
また、次回に起きる第１の明るさ変化のタイミングが平均時刻であると予測して、この平均時刻を基準に、設定時間だけ先行させたタイミングにおいて、照明装置の状態制御が行われる。これにより、実際に第１の明るさ変化が生じなくとも、照明装置の制御タイミングを先行して行うことができる。
【００８１】
（第３の実施形態）
第３の実施形態におけるリモコンシステムが、第２の実施形態のそれと相違する点は、基準時間Ａに設定される平均時刻を補正して算出する点である。なお、定刻時間制御ユニット１のシステム構成は、第２の実施形態と同様であり、以下、相違点を中心に説明を行う。
【００８２】
本実施形態において、定刻時間制御ユニット１は、第１または第２の実施形態と相違して、以下に示すような機能を備えている。
【００８３】
まず、図２を再び参照するに、モード切替スイッチ１ｃを操作して、通常モードから設定モードに切り替えた場合、現在時刻設定、点灯時刻設定、消灯時刻設定に加えて、現在の月日を設定する月日設定、照明装置が設置されている地域に該当する番号（例えば、都道府県を指定する番号）を選択する地域選択が可能となる。このモード切替スイッチ１ｃは、管理者によって操作可能となっており、通常モードと設定モードとの切り替えのみならず、設定モードにおける現在時刻設定、点灯時刻設定、消灯時刻設定、月日設定、地域選択の切り替えを行うことができる。
【００８４】
時切替スイッチ１ｄは、第１の実施形態に示す機能の他に、モード切替スイッチ１ｃが設定モードの月日設定に切り替えられた際に、その設定における月日の「月」を切り替えるための操作スイッチとして機能する。この場合、時切替スイッチ１ｄは、「１」から「１２」の範囲において「月」を切り替えることができる。
【００８５】
分切替スイッチ１ｅは、第１の実施形態に示す機能の他に、モード切替スイッチ１ｃが設定モードの月日設定に切り替えられた際に、その設定における月日の「日」を切り替えるための操作スイッチとして機能する。この場合、時切替スイッチ１ｄは、「１」から「３１」の範囲において「日」を切り替えることができる。また、分切替スイッチ１ｅは、モード切替スイッチ１ｃが設定モードの地域選択に切り替えられた際に、その設定における「地域番号」を切り替えるための操作スイッチとして機能する。
【００８６】
また、図３を再び参照するに、時切替スイッチ入力回路１３は、時切替スイッチ１ｄと接続され、時切替スイッチ１ｄの操作を検出する。時切替スイッチ入力回路１３によって検出された時切替スイッチ１ｄの操作は、マイクロコンピュータ１０で検知され、これにより、マイクロコンピュータ１０によって、月日設定における「月」の設定が変更される。
【００８７】
分切替スイッチ入力回路１４は、分切替スイッチ１ｅと接続され、分切替スイッチ１ｅの操作を検出する。分切替スイッチ入力回路１４によって検出された分切替スイッチ１ｅの操作は、マイクロコンピュータ１０で検知され、これにより、マイクロコンピュータ１０によって、月日設定における「日」の設定が変更され、地域選択における「地域番号」の設定が変更される。
【００８８】
ＥＥＰＲＯＭ１６には、月日および地域番号と、参照時刻とが関連付けられたマップを保持している。この参照時刻は、地域特性と月日特性とが反映された明るさ変化の基準（例えば、日の入り時刻および日の出時刻）を示す時刻であり、実験やシミュレーションを通じて予め取得することができる。
【００８９】
図８は、本発明の第３の実施形態にかかる照明装置の状態制御を示すフローチャートである。このフローチャートに示す処理は、所定周期で呼び出され、定刻時間制御ユニット１のマイクロコンピュータ１０によって実行される。なお、同図に示す処理は、モード切替スイッチ１ｃが通常モードに設定されているとともに、時間設定ボリューム１ｇによって設定時間が「−ａ」から「０」よりも小さな値の範囲内に設定されていることを前提に実行される。
【００９０】
ここで、同図に示す処理において、ステップ４０（Ｓ４０）からステップ４４（Ｓ４４）までの処理は、第２の実施形態におけるステップ２０からステップ２４までの処理に対応し、また、ステップ４９（Ｓ４９）からステップ５３（Ｓ５３）までの処理は、第２の実施形態におけるステップ２７からステップ３１までの処理に対応する。そこで、重複する説明は省略することとし、以下、相違点であるステップ４５（Ｓ４５）からステップ４８（Ｓ４８）までの処理について説明する。
【００９１】
まず、ステップ４５において、第１の明るさ変化に相当する時刻（以下「変化時刻」という）が取得される。
【００９２】
ステップ４６（Ｓ４６）において、月日設定で設定された月日および地域選択で選択された地域番号に基づいて、ＥＥＰＲＯＭ１６に格納されたマップを参照し、これにより、参照時刻が特定される。つぎに、参照時刻と変化時刻との差が算出されると、この時刻の差が規定時間以上であるのか否かが判断される。ここで、規定時間は、参照時刻と変化時刻との差が許容できない範囲にまで乖離していることを判定するための時間であり、その最適値が予め設定されている。ステップ４６において肯定判定された場合、すなわち、基準時刻との差が規定時間以上である場合には、ステップ４７（Ｓ４７）およびステップ（Ｓ４８）の処理をスキップして、本ルーチンを抜ける。一方、ステップ４６において否定判定された場合、すなわち、基準時刻との差が規定時間よりも小さい場合には、ステップ４７に進む。
【００９３】
ステップ４７において、変化時刻が、時刻データとして、ＥＥＰＲＯＭ１６に格納される。そして、ステップ４８において、ＥＥＰＲＯＭ１６に格納されている時刻データ、過去の第１の明るさ変化に相当する時刻の履歴を参照し、その平均時間が算出される。算出された平均時間は、新たな基準時間Ａとして、そのデータが更新される。
【００９４】
このように本実施形態によれば、地域特性と月日特性とに対応した明るさ変化の基準を示す参照時刻に基づいて、平均時刻が補正される。天候等の影響により、第１の明るさ変化の時刻が著しくずれた場合には、平均時間の算出精度が低くなり、ひいては、照明装置の状態制御のタイミングも悪化する虞がある。しかしながら、本実施形態によれば、参照時刻との比較により、第１の明るさ変化に相当する時刻のうち、異常な時刻を時刻データから排除することができる。そのため、平均時間の算出精度の悪化を抑制することができ、さらに、照明装置の状態制御のタイミングの悪化も抑制することができる。
【００９５】
なお、平均時刻の補正方法としては、上述した手法に限定されず、次に示すような手法であってもよい。具体的には、第２の実施形態と同様に、第１の明るさ変化に相当する時刻を時刻データとしてＥＥＰＲＯＭ１６に格納し、この時刻データに基づいて平均時刻を算出する。そして、この平均時刻と参照時刻との差が規定時間以上である場合には、平均時刻に代えて参照時刻を基準時刻として用いる。このように、参照時刻を代替的に用いることにより、平均時刻の補正としてもよい。
【００９６】
以上、本発明の好適な実施形態について説明したが、本発明は上記実施形態に限定されるものではなく、要旨を逸脱しない範囲で上記実施形態に種々の改変を施すことができる。
【００９７】
例えば、上述した第１から第３の実施形態では、第１の明るさ変化を基準として、明るさオフセット制御を行っているが、第２の明るさ変化を基準として、明るさオフセット制御を行ってもよい。この場合、第２の明るさ変化のみを対象として、明るさオフセット制御を行ってもよいし、第１の明るさ変化および第２の明るさ変化の双方を対象として、明るさオフセット制御を行ってもよい。また、第１の明るさ変化および第２の明るさ変化のそれぞれに対して、設定時間を個別的に設定することができる。
【００９８】
図９は、明るさオフセット制御の処理の流れを時系列的に示す説明図である。この図９に示す明るさオフセット制御では、第１の明るさ変化に対応する設定時間が「−ａ」から「０」よりも小さな値の範囲内に設定され、第２の明るさ変化に対応する設定時間が「０」から「ｂ」の範囲内に設定されているとする。
【００９９】
同図に示すように、明るさセンサ２からのセンサ信号を取得する明るさセンサ検出回路２５を介して、明状態から暗状態への明るさ変化（第１の明るさ変化）が検知されなくとも、マイクロコンピュータ１０は、基準時刻Ａよりも設定時間Ｂだけ先行したタイミングにおいて、オン制御の指示信号をワンパルス出力回路２６に出力する。これにともない、ワンパルス出力回路２６において、オン制御用の電流パルスが発生され、これに対応して（具体的には、電圧の立ち下がりに対応して）、内蔵リレーがオフ状態からオン状態へと切り替えられる。この内蔵リレーのリレー変化に対応して、リモコンリレー５がオン状態へと切り替えられると、照明装置が点灯状態に制御される。
【０１００】
また、明るさセンサ２からの出力を取得する明るさセンサ検出回路２５を介して、暗状態から明状態への明るさ変化（第２の明るさ変化）が検知されると、マイクロコンピュータ１０は、この明るさ変化のタイミングから設定時間Ｂだけ遅延したタイミングにおいて、オフ制御の指示信号をワンパルス出力回路２６に出力する。これにともない、ワンパルス出力回路２６において、オフ制御用の電流パルスが発生され、これに対応して（具体的には、電圧の立ち下がりに対応して）、内蔵リレーがオン状態からオフ状態へと切り替えられる。この内蔵リレーのリレー変化に対応して、リモコンリレー５がオフ状態へと切り替えられると、照明装置が消灯状態に制御される。
【０１０１】
また、リモコンシステムの構成も図１に示す形態に限定されない。図１０に示すリモコンシステムは、出力端子１ｊに商用電源およびリモコンブレーカー７が接続されている。このリモコンシステムは、図１に示すリモコンシステムとは異なり、交流１００Ｖの商用電源が出力端子１ｊに接続されて、当該商用電源をリモコンスイッチ８およびリモコンブレーカー７に供給する。このリモコンスイッチ８は、商用電源で動作するように構成されている。リモコンブレーカー７は、定刻時間制御ユニット１を介して供給される電流値が所定値を超えた場合に遮断するとともに、上述した実施形態と同様の機能を実現することができる。このリモコンシステムにおいては、ワンパルス出力回路２６にリモコンブレーカー７が接続されていることになる。
【図面の簡単な説明】
【０１０２】
【図１】リモコンシステムを示す構成図
【図２】定刻時間制御ユニット１を模式的に示す外観図
【図３】定刻時間制御ユニット１の構成を示すブロック図
【図４】第１の実施形態にかかる照明装置の状態制御を示すフローチャート
【図５】第１の実施形態に示す処理の流れを時系列的に示す説明図
【図６】第２の実施形態にかかる照明装置の状態制御を示すフローチャート
【図７】第２の実施形態に示す処理の流れを時系列的に示す説明図
【図８】第３の実施形態にかかる照明装置の状態制御を示すフローチャート
【図９】明るさオフセット制御の処理の流れを時系列的に示す説明図
【図１０】リモコンシステムを示す構成図
【符号の説明】
【０１０３】
１…定刻時間制御ユニット
１ａ…本体
１ｂ…液晶表示画面
１ｃ…モード切替スイッチ
１ｄ…時切換スイッチ
１ｄ…時切替スイッチ
１ｅ…分切替スイッチ
１ｆ…運転切替スイッチ
１ｇ…分時間設定ボリューム
１ｇ…時間設定ボリューム
１ｈ…電源端子
１ｉ…センサ端子
１ｊ…出力端子
１ｋ…スイッチ接続端子
１０…マイクロコンピュータ
１１…モード切替スイッチ入力回路
１２…運転切替スイッチ入力回路
１３…時切替スイッチ入力回路
１４…分切替スイッチ入力回路
１５…時間設定ボリューム入力回路
１６…ＥＥＰＲＯＭ
１７…リセット回路
１８…発振回路
１９…時計用発振回路
２０…液晶表示部
２１…ブリッジ回路
２２…電源回路
２３…電源電圧検出回路
２４…バックアップ電源回路
２５…明るさセンサ検出回路
２６…ワンパルス出力回路
２…明るさセンサ
３…リモコントランス
５…リモコンリレー
６…リモコンスイッチ
７…リモコンブレーカー
８…リモコンスイッチ
【図１】
0004995708.tif 000002
【図２】
0004995708.tif 000003
【図３】
0004995708.tif 000004
【図４】
0004995708.tif 000005
【図５】
0004995708.tif 000006
【図６】
0004995708.tif 000007
【図７】
0004995708.tif 000008
【図８】
0004995708.tif 000009
【図９】
0004995708.tif 000010
【図１０】
0004995708.tif 000011